(57)【要約】【課題】画像を送受信することが可能で、且つ、通常の電話とＩＰ電話の両方と通話が可能な電話機を提供する。【解決手段】操作ボタン１１５とＣＣＤカメラ１１６と表示部１１７と受話器１１９とＡＤＳＬモデム１１３とＰＳＴＮ電話回路１１４と制御部１１１とを備える。操作ボタン１１５で電話番号が指定されると、ＰＳＴＮ電話回路１１４を起動して発呼し、ＰＳＴＮ回線による通話を行う。一方、ＩＰアドレス又はＵＲＬが指定されると、ＡＤＳＬモデム１１３とインターネットを介して発呼し、呼が確立すると、受話器１１９での通話に加えて、ＣＣＤカメラ１１６での画像を送信し、受信した画像データを表示部１１７に表示する。【選択図】  図２
2004248086.tif 000002
【特許請求の範囲】
【請求項１】
撮像装置とマイクロフォンとを備える入力部と、
発呼先の電話番号を入力する電話番号入力手段と、
通信先のインターネットプロトコルアドレスを入力するＩＰアドレス入力手段と、
前記電話番号入力手段により入力された電話番号に発呼し、呼の確立後、前記入力部の入力データを発呼先に公衆回線網を介して送信する電話手段と、
前記ＩＰアドレス入力手段により入力されたインターネットプロトコルアドレス宛に前記入力部から入力データを送信するＩＰ送信手段と、
画像表示装置と音声出力装置とを備える出力部と、
着呼に応答し、発呼元からのデータを出力部に出力する手段と、
自己に割り当てられているインターネットプロトコルアドレス宛のデータを受信して前記出力部に出力する手段と、
を備えることを特徴とする電話システム。
【請求項２】
短縮番号と電話番号又はＩＰアドレスとを対応付けて記憶するメモリと、
前記電話番号入力手段により入力された短縮番号に対応する電話番号又はＩＰアドレスを読み出し、前記入力された短縮番号に対応するものが電話番号である場合には、前記電話手段を制御して、対応する電話番号に発呼させ、前記入力された短縮番号に対応するものがＩＰアドレスである場合には、前記ＩＰ送信手段を制御して、特定されたＩＰアドレスにデータを送信させる、短縮制御手段と、
をさらに備えることを特徴とする請求項１に記載の電話システム。
【請求項３】
インターネット上に配置され、通信先を特定する情報を提示する掲示手段と、前記掲示手段に掲示された通信先が指定された際に、該通信先にＩＰアドレスを付与する手段と、をさらに備えることを特徴とする請求項１又は２に記載の電話システム。
【発明の詳細な説明】
【０００１】
【発明の属する技術分野】
本発明は、映像と音声を両方取り扱え、且つ、従来のＰＳＴＮ回線網とインターネット回線網を適宜切り替えて使用できる電話システムに関する。
【０００２】
【従来の技術】
インターネットの発達に伴い、ＩＰ電話が開発され、普及し始めている（例えば、特許文献１）。
【０００３】
【特許文献１】
特開２００２−２９０５６７号公報
【０００４】
【発明が解決しようとする課題】
しかしながら、従来のＩＰ電話は、通話先もＩＰ電話でなければならず、従来の一般電話（ＰＳＴＮ回線網電話）とは通話ができないという問題があった。
また、従来のＩＰ電話は、映像を取り扱うことができず、いわゆるテレビ電話を実現できないという問題があった。
【０００５】
この発明は、上記実情に鑑みてなされたもので、音声と映像とを共に処理可能で、且つ、ＰＳＴＮ回線網とインターネットとを介した通信が共に可能な電話システムを提供することを目的とする。
【０００６】
【課題を解決するための手段】
上記目的を達成するため、本発明の第１の観点に係る電話システムは、
撮像装置とマイクロフォンとを備える入力部と、
発呼先の電話番号を入力する電話番号入力手段と、
通信先のインターネットプロトコルアドレスを入力するＩＰアドレス入力手段と、
前記電話番号入力手段により入力された電話番号に発呼し、呼の確立後、前記入力部の入力データを発呼先に公衆回線網を介して送信する電話手段と、
前記ＩＰアドレス入力手段により入力されたインターネットプロトコルアドレス宛に前記入力部から入力データを送信するＩＰ送信手段と、
画像表示装置と音声出力装置とを備える出力部と、
着呼に応答し、発呼元からのデータを出力部に出力する手段と、
自己に割り当てられているインターネットプロトコルアドレス宛のデータを受信して前記出力部に出力する手段と、
を備えることを特徴とする。
【０００７】
前記電話システムは、短縮番号と電話番号又はＩＰアドレスとを対応付けて記憶するメモリと、前記電話番号入力手段により入力された短縮番号に対応する電話番号又はＩＰアドレスを読み出し、前記入力された短縮番号に対応するものが電話番号である場合には、前記電話手段を制御して、対応する電話番号に発呼させ、前記入力された短縮番号に対応するものがＩＰアドレスである場合には、前記ＩＰ送信手段を制御して、特定されたＩＰアドレスにデータを送信させる、短縮制御手段と、をさらに備えてもよい。
【０００８】
インターネット上に配置され、通信先を特定する情報を提示する掲示手段と、前記掲示手段に掲示された通信先が指定された際に、該通信先にＩＰアドレスを付与する手段と、を配置してもよい。
【０００９】
【発明の実施の形態】
以下、本発明の実施の形態に係るネットワークシステムを図面を参照して説明する。
【００１０】
図１は、この実施の形態に係るネットワークシステムの構成を示す図である。図示するように、このシステムは、一般加入電話網（ＰＳＴＮ）２１とインターネット２５とを介して相互に接続された統合電話機１１（１１１〜１１ｎ）と、一般電話１７（１７１〜１７ｍ）、一般ＩＰ電話１９（１９１〜１９ｋ）と、一般ＩＰ電話２７と、インターネットサービスプロバイダ２３（２３１〜２３ｉ）より構成される。
【００１１】
各統合電話機１１（１１１〜１１ｎ）は、一般電話１７と一般ＩＰ電話１９、２７との間で音声情報の交信が可能で、他の統合電話機１１との間で音声と映像の交信が可能な電話機である。
【００１２】
各統合電話機１１は、図２に示すように、制御部１１１と、メモリ１１２と、ＡＤＳＬモデム１１３と、ＰＳＴＮ電話回路１１４と、操作ボタン１１５と、ＣＣＤカメラ１１６と、表示部１１７と、着信報知用スピーカ１１８と、受話器１１９と、フックスイッチ１２２と、ルータ１２３と、スプリッタ１２４と、モジュラージャック１２５とを備える。
【００１３】
メモリ１１２は、図３に示すように、短縮番号と、ＰＳＴＮ電話とＩＰ電話の別と、電話番号又はＩＰアドレスとの対を記憶する。これらの情報は、操作ボタン１１５を用いてユーザにより登録される。
【００１４】
ＡＤＳＬモデム１１３は、例えば、１．１ＭＨｚまでの帯域を使うＧ９９２．１勧告のＧ．ｄｍｔ方式に準拠した通信モデムである。
【００１５】
ＰＳＴＮ電話回路１１４は、従来の通常の加入者回線による電話通信を行う回路である。
操作ボタン１１５は、電話番号、ＩＰアドレス、ＵＲＬ、発呼の指示などを入力するためのボタンを含む。
ＣＣＤカメラ１１６は、ユーザの画像を取得して、画像データとして出力する。
表示部１１７は、画像を表示する。
着信報知用スピーカ１１８は、着信を放音する。
受話器１１９は、マイクロフォン１２０とスピーカ１２１とを内蔵し、利用者の発した音声をマイク１２０で音声信号に変換して制御部１１１に送信し、制御部１１１からの音声信号をスピーカ１２１で音声に変換して放音する。
フックスイッチ１２２は、受話器１１９のオンフック、オフフックを検出する。
【００１６】
ルータ１２３は、例えば、ＥｔｈｅｒＮｅｔケーブル及び／又は無線ルータ（ＩＥＥＥ８０２．１ｘ）に準拠したＤＨＣＰサービスを提供可能な通信装置であり、ＬＡＮ１３を形成する。
【００１７】
スプリッタ１２４は、ＰＳＴＮ電話回路１１４からの４ＫＨｚ以下の周波数の信号と、ＡＤＳＬモデム１１３からの広帯域信号とを合成してＰＳＴＮに出力し、一方、ＰＳＴＮ２１を介して提供される信号のうち４ＫＨｚ以下の周波数の信号とを分離してＰＳＴＮ電話回路１１４に出力し、広帯域信号成分をＡＤＳＬモデム１１３に出力する。
【００１８】
モジュラジャック１２５はＰＳＴＮ２１の地域電話網と自宅内電話回線とを接続するためのコネクタである。
【００１９】
制御部１１１は、図示せぬプロセッサを備え、様々な制御動作を行う。
まず、制御部１１１は、フックスイッチ１２２がオフの状態（受話器１１９が持ち上げられた状態）において、操作ボタン１１５が操作されて番号が入力されると、それが、電話番号であるか、ＩＰアドレスであるか、ＵＲＬであるか、短縮番号であるかを判別する。制御部１１１は、入力された情報が電話番号の場合には、ＰＳＴＮ電話回路１１４を制御して、入力された電話番号に発呼させ、呼が確立すると、ＰＳＴＮ電話回線１１４と受話器１１９のマイク１２０とスピーカ１２１とを接続して、音声通話を可能とする。
【００２０】
制御部１１１は、入力された情報がＩＰアドレスの場合には、ＡＤＳＬモデム１１３を制御して、入力されたＩＰアドレスに発呼させ、呼が確立した場合には、マイク１２０から供給される音声信号をデジタル化し、宛先及び送信元アドレスを付し、パケット化してＡＤＳＬモデム１１３に出力する。また、ＡＤＳＬモデム１１３で復号された受信パケットから音声信号を再生し、スピーカ１２１に出力する。
また、相手電話機が、統合電話機１１である場合には、ＣＣＤカメラ１１６の映像をパケット化して、ＡＤＳＬモデム１１３に提供し、ＡＤＳＬモデム１１３から提供される映像データのパケットから映像データを取り出して、表示部１１７に表示させる。
【００２１】
図１のインターネットプロバイダ（ＩＳＰ）２３１〜２３ｉは、それぞれ、ＰＳＴＮ回線２１を介してインターネットサービスを提供するための機関であり、ＰＳＴＮ２１に接続され、電話番号が割り当てられたサーバ（群）と、インターネット２５に接続されたゲートウエイ（ＧＷ）とを備える。これらのプロバイダ２３のうち、Ａ−ＩＳＰ２３１は、統合電話機１１をサポートしており、図４に示すように、ゲートキーパサーバとして機能するサーバ２３１と、ゲートウエイ２３３と、ＵＲＬとＩＰアドレスとの対を記憶するアドレス割当テーブル２３５とを備える。
【００２２】
アドレス割当テーブル２３５には、各統合電話機１１に割り当てられた固有のＵＲＬと、そのＵＲＬを有する統合電話機１１にＩＰアドレスを貸し与えたときに、ＵＲＬと貸し与えたグローバルＩＰアドレスとの対を対応付けて記憶し、そのユーザがＡ−ＩＳＰ２３１への接続を切断したときにＩＰアドレスの返還を受けて、対応する情報をアドレス割当テーブル２３５から削除する。
【００２３】
一方、Ｂ−ＩＳＰ２３２〜Ｃ−ＩＳＰ２３ｉは、一般のインターネットサービスプロバイダである。
【００２４】
次に、上記構成のシステムにおける通話の手順を図５を参照して説明する。
制御部１１１は、タイマ割り込みに応答して、例えば、１ｍｓ毎に図５に示す割り込み処理を実行する。
まず、制御部１１１は、フックスイッチ１２２のオン、オンを判別する（ステップＳ１１）。フックスイッチ１２２がオン状態ならば、受話器１９９が置かれた状態であり、今回の割り込み処理を終了する。一方、フックスイッチ１２２がオフ状態ならば、ＣＣＤカメラ１１６の撮影画像を表示部１１７に供給して表示させる（ステップＳ１２）。
【００２５】
続いて、操作ボタン１１５の入力（操作）があったか否かを判別する（ステップＳ１３）。操作ボタン１１５の入力があれば、入力バッファに入力内容を取り込む（ステップＳ１４）。
一方、入力が無ければ、ステップＳ１５にジャンプする。
【００２６】
続いて、入力が終了したか否かを判別する（ステップＳ１５）。例えば、最後の入力から所定期間（例えば、２秒）が経過した場合や、入力が予め設定されている形式となった場合、或いは、発呼ボタンが操作された場合には、入力が完了したと判別される。入力が完了したと判別された場合には、入力バッファに格納された内容がメモリ１１２に登録されている短縮情報（図３）に格納されている内容であるか否かが判別される（ステップＳ１６）。短縮の内容である場合には、メモリ１１３から登録されている短縮内容を読み出す（ステップＳ１７）。
【００２７】
次に、入力された内容が電話番号であるか否かを判別する（ステップＳ１８）。電話番号である場合には、ＰＳＴＮ電話回路１１４を起動し、以後、従来のＰＳＴＮ電話と同様の動作を行い、発呼、呼の確立、受話器１１９を用いた通話、等の処理を行う。
【００２８】
一方、入力された内容がＩＰアドレス又はＵＲＬである場合には、ＡＤＳＬモデム１１３を起動し、契約しているＡ−ＩＳＰ２３１に呼の確立を要求する（ステップＳ２１）。
【００２９】
Ａ−ＩＳＰ２３１のサーバコンピュータ２３１は、統合電話機１１からの呼の確立の要求を受け付けると、まず、通信先を特定する情報が固定ＩＰアドレスであるかＵＲＬであるかを判別する。ＵＲＬの場合には、アドレス割当テーブル２３５を参照して、サーバコンピュータ２３１がそのＵＲＬに現在割り当てているをダイナミックＩＰアドレスに変換する。Ａ−ＩＳＰ２３１は、通知されたＵＲＬが、自己の管理するＵＲＬでない場合には、そのＵＲＬを管理するサーバ（ここでは、ＩＳＰのサーバ）に通知し、ここで、ダイナミックＩＰアドレスに変換される。
【００３０】
サーバコンピュータ２３１は、受信した固定ＩＰアドレス又はアドレス割当テーブル２３５から読み出したＩＰアドレス宛に呼の確立を要求する情報をゲートウエイ２３３とインターネット２５を介して送信する。
【００３１】
着呼先のＩＰ電話機（１１，１９又は２７）は、応答可能か否かを示す情報を発呼元の統合電話機１１のＩＰアドレスに返信する。通信可能な場合には、発呼元の統合電話機１１と着呼先のＩＰ電話機（１１，１９又は２７）との間で、ネゴシエーションが行われ、呼が確立される。
【００３２】
発呼元の統合電話機１１の制御部１１１は、ＣＣＤカメラ１１６からの画像データとマイク１２０からの音声データとをパケット化して、ＡＤＳＬモデム１１３を介して着呼先に送信する。着呼先のＩＰ電話機が画像を表示できるタイプのものであれば、受信した音声データをスピーカから出力し、画像データを表示部に表示する。一方、着呼先のＩＰ電話機が画像を処理できないタイプのものであれば、画像データは破棄され、音声データがスピーカから出力される。
【００３３】
一方、着呼先のＩＰ電話機からのパケットは、スプリッタ１２４を介してＡＤＳＬモデム１１３で復調され、制御部１１１に供給される。制御部１１１は、復調したデータのタイプ（音声データと画像データと制御データの別）を判別し、音声データをスピーカ１２１に、画像データ（存在すれば）を表示部１１７に供給して出力させる。また、制御データに従って制御動作を行う。
【００３４】
なお、着呼先のＩＰ電話から画像データを受信しない場合に、ＣＣＤカメラ１１６と表示部１１７とはオフさせてもよく、或いは、ＣＣＤカメラ１１６の取得画像を表示部１１７に表示させるようにしてもよい。
【００３５】
（着呼動作）
統合電話機１１に電話をかける場合には、次の手順で行う。
まず、一般電話１７から統合電話機１１に電話をかける場合には、その統合電話機１１に割り当てられている電話番号に発呼する。
一般ＩＰ電話１９から、固有ＩＰアドレスが割り当てられている統合電話機１１に電話をかける場合には、その固有ＩＰアドレス宛に発呼する。
一般ＩＰ電話１９から、ＵＲＬが当てられている統合電話機１１に電話をかける場合には、そのＵＲＬ宛に発呼する。このＵＲＬは、Ａ−ＩＳＰ２３１  で、その時点で、その統合電話機１１に割り当てられているダイナミックＩＰアドレスに返還される。
【００３６】
他の一般電話１７より統合電話機１１に着呼があると、呼の信号は、スプリッタ１２４により分離されてＰＳＴＮ電話回路１１４に供給される。
【００３７】
ＰＳＴＮ電話回路１１４は、着呼に応答して、制御部１１１に割込信号を発行し、通話が可能か否かを問い合わせる。制御部１１１は、フックスイッチ１２２がオン状態（オンフック状態）にあれば、通話が可能であることをＰＳＴＮ電話回路１１４に指示し、フックスイッチ１２２がオフ状態（オフフック状態）にあれば、通信をできない旨を指示する。この指示に応答して、ＰＳＴＮ電話回路１１４は、発呼元の一般電話機１７に、適当な応答信号を返信する。
【００３８】
制御部１１１は、通話が可能な場合には、応答信号の返送と共に、呼を確立する処理を実行する。例えば、制御部１１１は、着信報知用スピーカ１１８を制御して呼び出し音を発生させ、呼の確立後は、通話の処理を行う。
【００３９】
一方、統合電話機１１に割り当てられているＩＰアドレス宛に、呼の確立を要求するパケットが届いた場合には、このパケットはスプリッタ１２４を介してＡＤＳＬモデム１１３に着信し、復調され、制御部１１１に転送される。
【００４０】
制御部１１１は、この要求に応答し、通信が可能か否かをフックスイッチ１２２の状態などから判別し、通信が可能か否かを示す情報を要求元のＩＰアドレスに返信する。通信可能な場合には、さらに、通信先のＩＰ電話機（１１，１９又は２７）との間で、ネゴシエーションが行われ、呼が確立される。
【００４１】
統合電話機１１の制御部１１１は、ＣＣＤカメラ１１６からの画像データとマイク１２０からの音声データとをパケット化して、ＡＤＳＬモデム１１３を介して通話先に送信し、通話先からの音声パケットと画像パケット（存在する場合には）をスプリッタ１１９を介してＡＤＳＬモデム１１３で復調し、音声データをスピーカ１２１に、画像データを１１７に供給して出力させる。
【００４２】
なお、統合電話機１１に接続されたネットワーク機器１５に関しては、ルータ１２３は、通常のルータと同様に、ローカルＩＰアドレスを割り当てＬＡＮ１３及びルータ１２３，さらに、ＡＤＳＬモデム１１３を介してインターネット２５との通信を可能とする。
【００４３】
以上説明したように、この実施の形態によれば、従来のＰＳＴＮ電話及びＩＰ電話との通信が可能で、かつ画像データを送受信できる電話機と電話システムが実現できる。
【００４４】
なお、この発明は上記実施の形態に限定されず、種々の変形及び応用が可能である。例えば、システム構成や画面構成は適宜変更可能である。また、実質的に同一の機能が実現できるならば、処理手順なども適宜変更可能である。
【００４５】
また、例えば、上記実施の形態では、Ａ−ＩＳＰ２３１では、各ＩＰ電話機にＵＲＬを割り当て、このＵＲＬと割り当てるＩＰアドレスとを対応付けて管理することにより、電話機を特定する例を示した。この発明は、これに限定されず、種々の変形が可能である。例えば、Ａ−ＩＳＰ２３１で内のキーパサーバに各ＩＰ電話機とそのＡＤＳＬモデムに設定されているＭＡＣアドレスとの対を記憶させておき、ユーザ（発呼者）がキーパサーバのアドレス（例えば、固定ＩＰアドレス）を各統合電話機１１で直接指定してキーパサーバを指定し、さらに、通信先のＭＡＣアドレスを指定し、キーパーサーバが指定されたＭＡＣアドレスからＩＰ電話機を特定して、これにＩＰアドレスを付して、通信を可能とするようにしてもよい。
【００４６】
また、統合電話機１１の制御部は、通信先のＩＰ電話機と呼を確立する過程で、相手の電話機の機種を問い合わせ、相手が自己と同じ画像データを送受信できるタイプか否かを判別し、通信先が画像データを送受信できるタイプの場合、ＣＣＤカメラ１１６からの画像データを通話先に送信し、通信先が画像データを送受信できないタイプの場合には、画像データを送信しないようにしてもよい。
また、使用者の任意により（例えば、ボタン操作に応じて）、ＣＣＤによるカメラ機能をオフする機能や代わりの画像を表示させるようにしてもよい。
また、上記実施の形態では、統合電話機１１の受信機能と送信機能とを１つの装置として形成したが、装置の構成は任意である。例えば、受取データのうち、画像をパソコンで受信・表示し、音声はハンドセットで受信・再生するという様な組み合わせにすることも可能である。
【００４７】
【発明の効果】
以上説明したように、この発明によれば、従来のＰＳＴＮ電話及びＩＰ電話との通信が可能で、かつ画像データを送受信できる電話機と電話システムが実現できる。
【図面の簡単な説明】
【図１】本発明の実施形態に係る電話システム全体の構成を示す図である。
【図２】図１に示す統合電話機の回路構成を示すブロック図である。
【図３】図２に示すメモリに格納される短縮情報の例を示す図である。
【図４】図１に示すＡ−ＩＳＰの構成を示す図である。
【図５】統合電話機の発呼動作を説明するためのフローチャートである。
【符号の説明】
１１（１１１〜１１ｎ）    統合電話機
１７（１７１〜１７ｍ）    一般電話
１９（１９１〜１９ｋ）    一般ＩＰ電話
２１                    一般加入者電話網
２３（２３１〜２３ｉ）    インターネットサービスプロバイダ
２５                    インターネット
２７                    一般ＩＰ電話
【図１】
2004248086.tif 000003
【図２】
2004248086.tif 000004
【図３】
2004248086.tif 000005
【図４】
2004248086.tif 000006
【図５】
2004248086.tif 000007